(57)【特許請求の範囲】
【請求項１】
第１の情報を含むハンドオーバコマンドを、ソースセルにおいて受信する受信部と、
ターゲットセルの下りリンク同期を行った後に、前記第１の情報に基づいて前記ターゲットセルにおけるＰＵＳＣＨのための送信タイミングを設定し、前記ＰＵＳＣＨを送信する送信部と、
少なくとも１つのＳＲがペンディングされており、このサブフレームにおける送信のために利用可能なＵＬ−ＳＣＨリソースがなく、且つ、ＭＡＣエンティティが何れのサブフレームにも前記ＳＲのための有効なＰＵＣＣＨリソースを持っていないことに少なくとも基づいて、プライマリーセルにおいてランダムアクセスプロシージャを開始する媒体アクセス制御層処理部と、を備える端末装置であって、
前記媒体アクセス制御層処理部は、少なくとも１つの前記ＳＲがペンディングされており、前記このサブフレームにおける送信のために利用可能な前記ＵＬ−ＳＣＨリソースがなく、且つ、前記ＭＡＣエンティティが前記何れのサブフレームにも前記ＳＲのための前記有効なＰＵＣＣＨリソースを持っていない場合に、前記第１の情報が設定されていることに少なくとも基づいて、前記プライマリーセルにおいて前記ランダムアクセスプロシージャを開始せず、
前記端末装置は、前記ＰＵＳＣＨに対する応答を検出したことに基づいて、前記ソースセルから前記ターゲットセルへのハンドオーバが成功したとみなし、
前記応答は、Ｃ−ＲＮＴＩによってスクランブルされたＣＲＣパリティビットを伴うＰＤＣＣＨに少なくとも基づいて検出される、
端末装置。
【請求項２】
端末装置に用いられる通信方法であって、
第１の情報を含むハンドオーバコマンドを、ソースセルにおいて受信し、
ターゲットセルの下りリンク同期を行った後に、前記第１の情報に基づいてターゲットセルにおけるＰＵＳＣＨのための送信タイミングを設定し、前記ＰＵＳＣＨを送信し、
少なくとも１つのＳＲがペンディングされており、このサブフレームにおける送信のために利用可能なＵＬ−ＳＣＨリソースがなく、且つ、ＭＡＣエンティティが何れのサブフレームにも前記ＳＲのための有効なＰＵＣＣＨリソースを持っていないことに少なくとも基づいて、プライマリーセルにおいてランダムアクセスプロシージャを開始し、
少なくとも１つの前記ＳＲがペンディングされており、前記このサブフレームにおける送信のために利用可能な前記ＵＬ−ＳＣＨリソースがなく、且つ、前記ＭＡＣエンティティが前記何れのサブフレームにも前記ＳＲのための前記有効なＰＵＣＣＨリソースを持っていない場合に、前記第１の情報が設定されていることに少なくとも基づいて、前記プライマリーセルにおいて前記ランダムアクセスプロシージャを開始せず、
前記端末装置は、前記ＰＵＳＣＨに対する応答を検出したことに基づいて、前記ソースセルから前記ターゲットセルへのハンドオーバが成功したとみなし、
前記応答は、Ｃ−ＲＮＴＩによってスクランブルされたＣＲＣパリティビットを伴うＰＤＣＣＨに少なくとも基づいて検出される、
通信方法。
【発明の詳細な説明】
【技術分野】
【０００１】
本発明は、端末装置、基地局装置、通信方法、および、集積回路に関する。
本願は、２０１６年１１月１８日に日本に出願された特願２０１６−２２４８８６号について優先権を主張し、その内容をここに援用する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ハンドオーバの遅延を減らすために、（ｉ）ランダムアクセスプロシージャを行わずに、端末装置がソースセルからターゲットセルにハンドオーバすること、および、（ｉｉ）ハンドオーバコマンド応答（RRC Connection Reconfiguration Complete message）の送信のための上りリンクグラントがハンドオーバコマンドによって事前に割り当てられることが検討されている（非特許文献６）。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"3GPP TR 36.881 v0.5.0 (2015-11)", R2-157181, 4th December 2015.
【発明の概要】
【発明が解決しようとする課題】
【０００５】
本発明の一態様は、基地局装置との通信を効率的に実行することができる端末装置、該端末装置と通信する基地局装置、該端末装置に用いられる通信方法、該基地局装置に用いられる通信方法、該端末装置に実装される集積回路、該基地局装置に実装される集積回路を提供する。
【課題を解決するための手段】
【０００６】
（１）本発明の態様は、以下のような手段を講じた。すなわち、本発明の第１の態様は、端末装置であって、第１の情報を含むハンドオーバコマンドを受信する受信部と、前記第１の情報に基づいてターゲットセルにおけるＰＵＳＣＨのための送信タイミングを設定し、前記ＰＵＳＣＨを送信する送信部と、少なくとも１つのＳＲがペンディングされており、このサブフレームにおける送信のために利用可能なＵＬ−ＳＣＨリソースがなく、且つ、ＭＡＣエンティティが何れのサブフレームにも前記ＳＲのための有効なＰＵＣＣＨリソースを持っていないことに少なくとも基づいて、プライマリーセルにおいてランダムアクセスプロシージャを開始する媒体アクセス制御層処理部と、を備え、前記媒体アクセス制御層処理部は、少なくとも１つの前記ＳＲがペンディングされており、前記このサブフレームにおける送信のために利用可能な前記ＵＬ−ＳＣＨリソースがなく、且つ、前記ＭＡＣエンティティが前記何れのサブフレームにも前記ＳＲのための前記有効なＰＵＣＣＨリソースを持っていない場合に、前記第１の情報が設定されていることに少なくとも基づいて、前記プライマリーセルにおいて前記ランダムアクセスプロシージャを開始しない。【０００７】
（２）本発明の第２の態様は、端末装置に用いられる通信方法であって、第１の情報を含むハンドオーバコマンドを受信し、前記第１の情報に基づいてターゲットセルにおけるＰＵＳＣＨのための送信タイミングを設定し、前記ＰＵＳＣＨを送信し、少なくとも１つのＳＲがペンディングされており、このサブフレームにおける送信のために利用可能なＵＬ−ＳＣＨリソースがなく、且つ、ＭＡＣエンティティが何れのサブフレームにも前記ＳＲのための有効なＰＵＣＣＨリソースを持っていないことに少なくとも基づいて、プライマリーセルにおいてランダムアクセスプロシージャを開始し、少なくとも１つの前記ＳＲがペンディングされており、前記このサブフレームにおける送信のために利用可能な前記ＵＬ−ＳＣＨリソースがなく、且つ、前記ＭＡＣエンティティが前記何れのサブフレームにも前記ＳＲのための前記有効なＰＵＣＣＨリソースを持っていない場合に、前記第１の情報が設定されていることに少なくとも基づいて、前記プライマリーセルにおいて前記ランダムアクセスプロシージャを開始しない。
【発明の効果】
【０００８】
この発明の一態様によれば、端末装置および基地局装置は互いに、効率的に通信をすることができる。
【図面の簡単な説明】
【０００９】
【図１】本実施形態の無線通信システムの概念図である。
【図２】本実施形態の無線フレームの概略構成を示す図である。
【図３】本実施形態の上りリンクスロットの概略構成を示す図である。
【図４】本実施形態におけるハンドオーバプロシージャの一例を示す図である。
【図５】本実施形態における上りリンクグラントに含まれるフィールドを説明するための図である。
【図６】本実施形態におけるＤＲＸサイクルの一例を示す図である。
【図７】本実施形態におけるＤＲＸオペレーションの一例を示すフロー図である。
【図８】本実施形態におけるＤＲＸオペレーションの一例を示すフロー図である。
【図９】本実施形態におけるアクティブタイムの第１の例を示す図である。
【図１０】本実施形態におけるアクティブタイムの第２の例を示す図である。
【図１１】本実施形態の端末装置１の構成を示す概略ブロック図である。
【図１２】本実施形態のターゲット基地局装置３Ｂの構成を示す概略ブロック図である。
【発明を実施するための形態】
【００１０】
以下、本発明の実施形態について説明する。
【００１１】
図１は、本実施形態の無線通信システムの概念図である。図１において、無線通信システムは、端末装置１、および、基地局装置３を具備する。基地局装置３は、ソース基地局装置３Ａ、ターゲット基地局装置３Ｂ、および、ＭＭＥ（Mobility Management Entity）／ＧＷ（Gateway）を含む。Ｕｕは端末装置１と基地局装置３の間の無線アクセスリンクである。Ｕｕは、端末装置１から基地局装置３への上りリンク、および、基地局装置３から端末装置１への下りリンクを含む。Ｘ２は、ソース基地局装置３Ａとターゲット基地局装置３Ｂの間のバックホールリンクである。Ｓ１は、ソース基地局装置３Ａ／ターゲット基地局装置３ＢとＭＭＥ／ＧＷの間のバックホールリンクである。
【００１２】
端末装置１は、ソース基地局装置３Ａからターゲット基地局装置３Ｂにハンドオーバしてもよい。端末装置１は、ソースセルからターゲットセルにハンドオーバしてもよい。ソースセルは、ソース基地局装置３Ａによって管理されてもよい。ターゲットセルは、ターゲット基地局装置３Ｂによって管理されてもよい。ソース基地局装置３Ａ、および、ターゲット基地局装置３Ｂは、同じ装置であってもよい。すなわち、端末装置１は、ソース基地局装置３Ａが管理するソースセルから、当該ソース基地局装置３Ａが管理するターゲットセルにハンドオーバしてもよい。ソースセルを、ソースプライマリーセルとも称する。ターゲットセルを、ターゲットプライマリーセルとも称する。
【００１３】
以下、キャリアアグリゲーションについて説明する。
【００１４】
本実施形態では、端末装置１は、複数のサービングセルが設定される。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００１５】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセルとも称する。
【００１６】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００１７】
プライマリーセルは、ソースプライマリーセル、および、ターゲットプライマリーセルを含む。
【００１８】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１９】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２０】
図２は、本実施形態の無線フレームの概略構成を示す図である。図２において、横軸は時間軸である。
【００２１】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。サブフレームを、ＴＴＩ（Transmission Time Interval）とも称する。
【００２２】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access）シンボル番号／インデックスであり、ｋはサブキャリア番号／インデックスである。
【００２３】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００２４】
リソースグリッドは、アンテナポート毎に定義される。本実施形態では、１つのアンテナポートに対する説明を行う。複数のアンテナポートのそれぞれに対して、本実施形態が適用されてもよい。
【００２５】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。ノーマルＣＰ（normal Cyclic Prefix）に対して、NULsymbは７である。拡張ＣＰ（extended Cyclic Prefix）に対して、NULsymbは６である。
【００２６】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００２７】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB-1）が付けられる。
【００２８】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて同じであるため、下りリンクのスロットの構成の説明は省略する。
【００２９】
本実施形態の物理チャネルおよび物理シグナルについて説明する。
【００３０】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信するために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００３１】
ＰＵＳＣＨは、上りリンクデータ（Uplink-Shared Channel: UL-SCH）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３２】
ＰＲＡＣＨは、ランダムアクセスプリアンブル（ランダムアクセスメッセージ１）を送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられる。
【００３３】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３４】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００３５】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。
【００３６】
ＰＣＦＩＣＨは、ＰＤＣＣＨの送信に用いられる領域（ＯＦＤＭシンボル）を指示する情報を送信するために用いられる。
【００３７】
ＰＨＩＣＨは、基地局装置３が受信した上りリンクデータ（Uplink Shared Channel: UL-SCH）に対するＨＡＲＱインディケータを送信するために用いられる。ＨＡＲＱインディケータは、ＨＡＲＱ−ＡＣＫを示す。
【００３８】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００３９】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４０】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００４１】
ＰＤＣＣＨで送信される上りリンクグラントはＤＣＩフォーマット０を含む。ＤＣＩフォーマット０に対応するＰＵＳＣＨの送信方式は、シングルアンテナポートである。端末装置１は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００４２】
ＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置１は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００４３】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、または、ＳＰＳ（Semi Persistent Scheduling）Ｃ−ＲＮＴＩCell-Radio Network Temporary Identifier）によってスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセスプロシージャの間に用いられる。ＲＮＴＩによってスクランブルされたＣＲＣパリティビットが付加された上りリンクグラントを、ＲＮＴＩに対する上りリンクグラント、ＲＮＴＩに対応する上りリンクグラントとも称する。ＲＮＴＩによってスクランブルされたＣＲＣパリティビットが付加された上りリンクグラントを含むＰＤＣＣＨを、ＲＮＴＩに対するＰＤＣＣＨ、ＲＮＴＩに対応するＰＤＣＣＨとも称する。
【００４４】
Ｃ−ＲＮＴＩは、１つのサブフレームにおけるＰＤＳＣＨまたはＰＵＳＣＨを制御するために用いられる。端末装置１は、Ｃ−ＲＮＴＩによってスクランブルされたＣＲＣパリティビットが付加される上りリンクグラントを含むＰＤＣＣＨの検出に基づいて、トランスポートブロックを含むＰＵＳＣＨを送信してもよい。該トランスポートブロックの再送信は、Ｃ−ＲＮＴＩによってスクランブルされたＣＲＣパリティビットが付加される上りリンクグラントを含むＰＤＣＣＨによって指示されてもよい。
【００４５】
ＳＰＳ  Ｃ−ＲＮＴＩは、ＰＤＳＣＨまたはＰＵＳＣＨのリソースを周期的に割り当てるために用いられる。端末装置１は、ＳＰＳ  Ｃ−ＲＮＴＩによってスクランブルされたＣＲＣパリティビットが付加される上りリンクグラントを含むＰＤＣＣＨの検出し、該上りリンクグラントがＳＰＳ活性化コマンドとして有効であると判断された場合、該上りリンクグラントを設定された上りリンクグラント（configured uplink grant）としてストアする。端末装置１のＭＡＣ層は、該設定された上りリンクグラントが周期的に発生するとみなす。該設定された上りリンクグラントが発生するとみなされるサブフレームは、第１の周期と第１のオフセットによって与えられる。端末装置１は、基地局装置３から、該第１の周期を示す情報を受信する。該周期的に割り当てられるＰＵＳＣＨで送信されたトランスポートブロックの再送信は、ＳＰＳ  Ｃ−ＲＮＴＩによってスクランブルされたＣＲＣパリティビットが付加される上りリンクグラントによって指示される。該設定された上りリンクグラントを、ＭＡＣ（Medium Access Control）によって設定された上りリンクグラント、または、第１の設定された上りリンクグラントとも称する。
【００４６】
ランダムアクセスレスポンスは、ＲＡＲグラント（Random Access Response grant）を含む。ＲＡＲグラントは、ＰＤＳＣＨで送信される上りリンクグラントである。端末装置１は、ＲＡＲグラントに対応するＰＵＳＣＨを用いてメッセージ３を送信してもよい。端末装置１は、ＲＡＲグラントに対応するＰＵＳＣＨ送信、および、同じトランスポートブロックに対する該ＰＵＳＣＨ再送信のためにシングルアンテナポート送信方式を用いる。
【００４７】
Ｔｅｍｐｏｒａｒｙ  Ｃ−ＲＮＴＩは、ランダムアクセスメッセージ３の再送信、および、ランダムアクセスメッセージ４の送信をスケジュールするために用いられる。ランダムアクセスメッセージ３の初期送信は、ＲＡＲグラント（Random Access Response grant）によってスケジュールされる。
【００４８】
ハンドオーバコマンドは、ＨＯＣグラント（Handover Command grant）を含んでもよい。ＨＯＣグラントは、ＰＤＳＣＨで送信される上りリンクグラントである。端末装置１は、ＨＯＣグラントを設定された上りリンクグラント（configured uplink grant）としてストアする。端末装置１のＭＡＣ層は、該設定された上りリンクグラントが周期的に発生するとみなす。該設定された上りリンクグラントが発生するとみなされるサブフレームは、第２の周期と第２のオフセットによって与えられる。ハンドオーバコマンドは、該第２の周期と該第２のオフセットを示す情報を含む。ハンドオーバコマンドは、該第１の周期を示す情報を含む。端末装置１は、ＨＯＣグラントに対応するＰＵＳＣＨ送信、および、同じトランスポートブロックに対する該ＰＵＳＣＨ再送信のためにシングルアンテナポート送信方式を用いてもよい。該周期的に割り当てられるＰＵＳＣＨで送信されたトランスポートブロックの再送信は、Ｃ−ＲＮＴＩによってスクランブルされたＣＲＣパリティビットが付加される上りリンクグラント、および／または、ＮＡＣＫによって指示されてもよい。該設定された上りリンクグラントを、ＲＲＣ（Radio Resource Control）によって設定された上りリンクグラント、または、第２の設定された上りリンクグラントとも称する。
【００４９】
すなわち、第１の周期に基づいて周期的に発生するとみなされる上りリンクグラント（第１の設定された上りリンクグラント）に対応するＰＵＳＣＨで送信されたトランスポートブロックの再送信のためにＳＰＳ  Ｃ−ＲＮＴＩが用いられ、且つ、第２の周期に基づいて周期的に発生するとみなされる上りリンクグラント（第２の設定された上りリンクグラント）に対応するＰＵＳＣＨで送信されたトランスポートブロックの再送信のためにＣ−ＲＮＴＩが用いられる。第１の周期および第２の周期は個別に設定される。
【００５０】
第１の周期および第１のオフセットに基づいて周期的に発生するとみなされる上りリンクグラント（第１の設定された上りリンクグラント）に対応するＰＵＳＣＨは、ＳＰＳ  Ｃ−ＲＮＴＩに少なくとも基づいて生成されるスクランブルシーケンスによってスクランブルされてもよい。第２の周期および第２のオフセットに基づいて周期的に発生するとみなされる上りリンクグラント（第２の設定された上りリンクグラント）に対応するＰＵＳＣＨは、Ｃ−ＲＮＴＩに少なくとも基づいて生成されるスクランブルシーケンスによってスクランブルされてもよい。
【００５１】
ＰＤＳＣＨは、下りリンクデータ（Downlink Shared Channel: DL-SCH）を送信するために用いられる。ＰＤＳＣＨは、ランダムアクセスメッセージ２（ランダムアクセスレスポンス）を送信するために用いられる。ＰＤＳＣＨは、ハンドオーバコマンドを送信するために用いられる。
【００５２】
ＰＭＣＨは、マルチキャストデータ（Multicast Channel: MCH）を送信するために用いられる。
【００５３】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。同期信号は、ＰＳＳ（Primary Synchronization Signal）、および、ＳＳＳ（Second Synchronization Signal）を含む。
【００５４】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５５】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００５６】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５７】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Controlmessage、RRC information: Radio Resource Control informationとも称される）を送受信してもよい。また、基地局装置３と端末装置１は、媒体アクセス制御（MAC: Medium Access Control）層において、ＭＡＣ  ＣＥ（Control Element）を送受信してもよい。ここで、ＲＲＣシグナリング、および／または、ＭＡＣ  ＣＥを、上位層の信号（higherlayer signaling）とも称する。
【００５８】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００５９】
図４は、本実施形態におけるハンドオーバプロシージャの一例を示す図である。
【００６０】
（ステップ４００）ターゲット基地局装置３Ｂは、ソース基地局装置３Ａにハンドオーバコマンドを送信する。ハンドオーバコマンドは、パラメータmobilityControlInfoを含むパラメータRRCConnectionReconfigurationである。パラメータmobilityControlInfoは、ターゲットセルにおける送信タイミングに関する情報、ＨＯＣグラント、ターゲットセルにおけるＣ−ＲＮＴＩを示すための情報、ターゲットセルにおけるＳＰＳ  Ｃ−ＲＮＴＩを示すための情報、第１の周期を示す情報、第２の周期および第２のオフセットを示す情報、および、ターゲットセルに関する情報を含んでもよい。ターゲットセルに関する情報は、ターゲットセルのＰＣＩ（Physical layer Cell Identity）を示すための情報、ターゲットセルの周波数を示すための情報が含まれてもよい。
【００６１】
（ステップ４０１）ソース基地局装置３Ａは、ＰＤＳＣＨを用いて、ターゲット基地局装置３Ｂから受信したハンドオーバコマンドを、端末装置１に送信する。
【００６２】
（ステップ４０２）端末装置１は、ターゲットセルに関する情報に基づいて、ターゲットセルの下りリンク同期を取得する。端末装置１は、下りリンク同期の取得のために、ターゲットセルの同期信号、ターゲットセルのＣＲＳ、および、ターゲットセルのＰＢＣＨの一部、または、全部を用いてもよい。
【００６３】
（ステップ４０３）端末装置１は、ターゲットセルにおける最初のＰＵＳＣＨで上りリンクデータを送信する。ターゲットセルにおける送信タイミングに関する情報が設定されており、且つ、第２の設定された上りリンクグラントが存在する場合、該ターゲットセルにおける最初のＰＵＳＣＨは、第２の設定された上りリンクグラントに対応してもよい。当該上りリンクデータは、コンプリートメッセージ（RRCConnectionReconfigurationCompletemessage）を含んでもよい。ここで、該最初のＰＵＳＣＨ送信の送信タイミングは、ターゲットセルにおける送信タイミングに関する情報に基づいて設定される。
【００６４】
（ステップ４０４）端末装置１は、ターゲットセルにおいて、所定の期間、ＨＯＣグラントに対応するＰＵＳＣＨ（上りリンクデータ）に対する応答の受信／復号を試みる。
【００６５】
当該応答は、以下の一部、または、全部を含んでもよい。
・応答タイプＡ：第２の設定された上りリンクグラントに対応するＰＵＳＣＨで送信された上りリンクデータに対するＰＨＩＣＨ（ＡＣＫのみ、ＮＡＣＫを除く）
・応答タイプＢ：ハンドオーバコマンドによって示されたＣ−ＲＮＴＩを含むＰＤＣＣＨ／ＥＰＤＣＣＨ
（ステップ４０５）端末装置１は、ステップ４０４における所定の期間において応答がなかった場合、第２の設定された上りリンクグラントに基づいて、ＰＵＳＣＨで上りリンクデータを送信する。当該上りリンクデータは、コンプリートメッセージ（RRCConnectionReconfigurationCompletemessage）を含んでもよい。
【００６６】
（ステップ４０６）端末装置１は、ステップ４０５のＰＵＳＣＨ送信に対する応答を検出する。端末装置１は、当該応答を検出したことに基づいて、ハンドオーバプロシージャの処理を終了してもよい。端末装置１は、当該応答を検出したことに基づいて、ハンドオーバに成功したとみなしてもよい。
【００６７】
（ステップ４０７）端末装置１は、ステップ４０６においてＮＡＣＫを検出した場合、ＨＯＣグラントに基づいて、ＰＵＳＣＨで上りリンクデータを再送信する。ＮＡＣＫに基づく再送信を、ｎｏｎ−ａｄａｐｔｉｖｅ再送信と称する。
【００６８】
（ステップ４０７）端末装置１は、ステップ４０６において再送信を指示する上りリンクグラントを含むＰＤＣＣＨ／ＥＰＤＣＣＨを検出した場合、当該上りリンクグラントに基づいて、ＰＵＳＣＨで上りリンクデータを再送信する。上りリンクグラントに基づく再送信を、ａｄａｐｔｉｖｅ再送信と称する。該上りリンクグラントに付加されるＣＲＣパリティビットは、Ｃ−ＲＮＴＩによってスクランブルされる。
【００６９】
図５は、本実施形態における上りリンクグラントに含まれるフィールドを説明するための図である。
【００７０】
‘Resource block assignment and hopping resource allocation’フィールドは、ＰＵＳＣＨが割り当てられる物理リソースブロックを示すために用いられる。‘Resource block assignment and hopping resource allocation’フィールドは、ＤＣＩフォーマット０とＨＯＣグラントの両方に含まれてもよい。
【００７１】
‘Modulation and coding scheme and redundancy version’フィールドは、トランスポートブロックのサイズ、変調方式（modulation order Q’m）、および、リダンダンシーヴァージョンrvidxを示すために用いられる。‘Modulation and coding scheme and redundancy version’フィールドは、ＤＣＩフォーマット０とＨＯＣグラントの両方に含まれてもよい。
【００７２】
‘New data indicator’フィールドは、ＰＵＳＣＨ（トランスポートブロック）の初期送信、または、再送信を指示するために用いられる。‘New data indicator’フィールドは、ＤＣＩフォーマット０に含まれてもよい。‘New data indicator’フィールドは、ＨＯＣグラントに含まれない。
【００７３】
以下、上りリンクのためのＨＡＲＱについて説明する。
【００７４】
端末装置１は、１つのＭＡＣエンティティを持つ。ＭＡＣエンティティは、１つ、または、複数のＨＡＲＱエンティティを制御（管理）する。キャリアアグリゲーションが設定された上りリンクにおいて、サービングセル（上りリンクコンポーネントキャリア）毎に１つの独立したＨＡＲＱエンティティ（entity）が存在する。ＨＡＲＱエンティティは、複数のＨＡＲＱプロセスを並行して管理する。ＨＡＲＱプロセスはＨＡＲＱバッファに関連する。すなわち、ＨＡＲＱエンティティは複数のＨＡＲＱバッファに関連する。ＨＡＲＱプロセスは、ＭＡＣ層のデータをＨＡＲＱバッファにストアする。ＨＡＲＱプロセスは、該ＭＡＣ層のデータを送信するよう物理層に指示する。
【００７５】
キャリアアグリゲーションが設定された上りリンクにおいて、サービングセル毎にサブフレーム毎に少なくとも１つのトランスポートブロックが生成される。トランスポートブロックのそれぞれ、および、そのトランスポートブロックのＨＡＲＱ再送信は、１つのサービングセルにマップされる。
【００７６】
ＭＡＣエンティティおよびＨＡＲＱエンティティは、上りリンクグラントを含むＰＤＣＣＨを受信したサブフレームに基づいて、該上りリンクグラントが対応するＨＡＲＱプロセスのＩＤ（identity）を特定してもよい。ＭＡＣエンティティおよびＨＡＲＱエンティティは、第１の設定された上りリンクグラントまたは第２の設定された上りリンクグラントが発生するとみなされるサブフレームに基づいて、対応するＨＡＲＱプロセスのＩＤ（identity）を特定してもよい。ＨＡＲＱエンティティは、特定したＨＡＲＱプロセスに上りリンクグラントを渡す。
【００７７】
ＨＡＲＱエンティティは、あるＨＡＲＱプロセスに対して提供されるＮＤＩが、該あるＨＡＲＱプロセスの前の送信に対するＮＤＩの値と比較してトグルされている場合、該ＨＡＲＱプロセスに初期送信をトリガーするよう指示する。ＨＡＲＱエンティティは、あるＨＡＲＱプロセスに対して提供されるＮＤＩが、該あるＨＡＲＱプロセスの前の送信に対するＮＤＩの値と比較してトグルされていない場合、該ＨＡＲＱプロセスにアダプティブ再送信をトリガーするよう指示する。尚、ＨＡＲＱプロセスが、ＮＤＩがトグルされているかどうかを判定してもよい。ここで、該あるＨＡＲＱプロセスの前の送信に対するＮＤＩは、Ｃ−ＲＮＴＩによってスクランブルされたＣＲＣパリティビットが付加される上りリンクグラントに対応する。ここで、ＮＤＩが前の送信のＮＤＩの値と比較してトグルされているかどうかを判定する場合に、端末装置１はＴｅｍｐｏｒａｒｙ  Ｃ−ＲＮＴＩによってスクランブルされたＣＲＣパリティビットが付加される上りリンクグラントに含まれるＮＤＩを無視する。
【００７８】
第１の設定された上りリンクグラントまたは第２の設定された上りリンクグラントがＨＡＲＱプロセスに渡される場合、ＭＡＣエンティティおよびＨＡＲＱエンティティは、該ＨＡＲＱプロセスのためのＮＤＩがトグルされているとみなす。すなわち、周期的に発生するとみなされる上りリンクグラントがＨＡＲＱプロセスに渡される場合、ＭＡＣエンティティおよびＨＡＲＱエンティティは、該ＨＡＲＱプロセスのためのＮＤＩがトグルされているとみなす。
【００７９】
あるＨＡＲＱプロセスに対して該上りリンクグラントが指示され、且つ、該上りリンクグラントがＣ−ＲＮＴＩに対応しており、且つ、該あるＨＡＲＱプロセスのためにＨＡＲＱエンティティが渡した前の上りリンクグラント（previous uplink grant）が第１の設定された上りリンクグラントであった場合、ＭＡＣエンティティおよびＨＡＲＱエンティティはＮＤＩの値に関係なく該あるＨＡＲＱプロセスに対してＮＤＩがトグルされているとみなす。
【００８０】
あるＨＡＲＱプロセスに対して該上りリンクグラントが指示され、且つ、該上りリンクグラントがＣ−ＲＮＴＩに対応しており、且つ、該あるＨＡＲＱプロセスのためにＨＡＲＱエンティティが渡した前の上りリンクグラント（previous uplink grant）が第２の設定された上りリンクグラントであった場合、ＭＡＣエンティティおよびＨＡＲＱエンティティはＮＤＩの値に基づいて、該あるＨＡＲＱプロセスに対してＮＤＩがトグルされているかどうかを判定する。これにより、第２の設定された上りリンクグラントに基づいて送信されたトランスポートブロックのアダプティブ再送信が可能になる。
【００８１】
あるＨＡＲＱプロセスに対して該上りリンクグラントが指示され、且つ、該上りリンクグラントがＣ−ＲＮＴＩに対応している場合、端末装置１は、該あるＨＡＲＱプロセスのためにＨＡＲＱエンティティが渡した前の上りリンクグラント（previous uplink grant）が、ＭＡＣによって設定された上りリンクグラント（第１の周期に対応する上りリンクグラント）であるかどうかを判定してもよい。該あるＨＡＲＱプロセスのためにＨＡＲＱエンティティが渡した前の上りリンクグラント（previous uplink grant）が、ＭＡＣによって設定された上りリンクグラント（第１の周期に対応する上りリンクグラント）である場合、端末装置１は、ＭＡＣエンティティおよびＨＡＲＱエンティティはＮＤＩの値に関係なく該あるＨＡＲＱプロセスに対してＮＤＩがトグルされているとみなしてもよい。
【００８２】
あるＨＡＲＱプロセスのためにＨＡＲＱエンティティが渡した前の上りリンクグラント（previous uplink grant）が、ＭＡＣによって設定された上りリンクグラント（第１の周期に対応する上りリンクグラント）ではないと判定された場合、端末装置１は、受信されたＮＤＩの値に基づいて、該あるＨＡＲＱプロセスに対してＮＤＩがトグルされているかどうかを判定してもよい。すなわち、該あるＨＡＲＱプロセスのためにＨＡＲＱエンティティが渡した前の上りリンクグラント（previous uplink grant）が、ＲＲＣによって設定された上りリンクグラント（第２の周期に対応する上りリンクグラント）である場合、端末装置１は、受信されたＮＤＩの値に基づいて、該あるＨＡＲＱプロセスに対してＮＤＩがトグルされているかどうかを判定してもよい。
【００８３】
“トグルされたＮＤＩを含む下りリンク制御情報（上りリンクグラント、下りリンクグラント）を含むＰＤＣＣＨ”を、“初期送信を指示するＰＤＣＣＨ”とも称する。“トグルされていないＮＤＩを含む下りリンク制御情報（上りリンクグラント、下りリンクグラント）を含むＰＤＣＣＨ”を、“アダプティブ再送信を指示するＰＤＣＣＨ”とも称する。
【００８４】
基地局装置３は、ＰＵＳＣＨのスケジューリングを実行する際に、上記の端末装置の動作を想定してもよい。
【００８５】
図４のステップ４０３において、ターゲットセルにおける送信タイミングに関する情報が設定されていない場合、端末装置１は、該ターゲットセルにおいてランダムアクセスプロシージャを開始する。この場合、ターゲットセルにおける最初のＰＵＳＣＨ送信はＲＡＲグラントに対応する。
【００８６】
図４のステップ４０３において、ターゲットセルにおける送信タイミングに関する情報が設定されており、且つ、第２の設定された上りリンクグラントが存在しない場合、該ターゲットセルにおける最初のＰＵＳＣＨは、ＰＤＣＣＨに含まれる上りリンクグラントに対応してもよい。第２の設定された上りリンクグラントが存在しない場合は、ハンドオーバコマンドにＨＯＣグラントが含まれていない場合と同一である。図４のステップ４０３において、ターゲットセルにおける送信タイミングに関する情報が設定されており、且つ、第２の設定された上りリンクグラントが存在しない場合、端末装置１は、該ターゲットセルにおいてＰＤＣＣＨをモニタする。ここで、ＰＤＣＣＨは、Ｃ−ＲＮＴＩに対応するＰＤＣＣＨ、および、ＳＰＳ  Ｃ−ＲＮＴＩに対応するＰＤＣＣＨを含む。ここで、ハンドオーバコマンドがＤＲＸ（discontinousreception）に関する設定が含まれていたとしても、端末装置１は、最初のＰＵＳＣＨに対応するＰＤＣＣＨを検出するまで、ＰＤＣＣＨをモニタしてもよい。
【００８７】
以下、本発明のＤＲＸ（Discontinuous Reception）について説明する。
【００８８】
ＤＲＸ機能（functionality）は上位層（ＲＲＣ）によって設定され、ＭＡＣによって処理される。ＤＲＸ機能は、端末装置１のＣ−ＲＮＴＩおよびＳＰＳ  Ｃ−ＲＮＴＩに対する端末装置１のＰＤＣＣＨモニタリング活動（activity）を制御する。ハンドオーバコマンドは、ターゲットセルにおけるＤＲＸの設定を示す情報を含んでもよい。
【００８９】
つまり、ＤＲＸ機能は、端末装置１のＣ−ＲＮＴＩによってスクランブルされたＣＲＣパリティビットが付加されたＤＣＩフォーマットの送信に用いられるＰＤＣＣＨに対する端末装置１のモニタリング活動を制御する。ＤＲＸ機能は、所定のＲＮＴＩによってスクランブルされたＣＲＣパリティビットが付加されたＤＣＩフォーマットの送信に用いられるＰＤＣＣＨに対する端末装置１のモニタリング活動に対して適用されなくてもよい。
【００９０】
ＤＲＸが設定されるならば、端末装置１は以下で説明するＤＲＸオペレーションを用いて非連続的にＰＤＣＣＨをモニタしてもよい。それ以外の場合には、端末装置１は連続的にＰＤＣＣＨをモニタしてもよい。
【００９１】
上位層（ＲＲＣ）は、以下の複数のタイマーと、drxStartOffsetの値を設定することによりＤＲＸオペレーションを制御する。
・onDurationTimer
・drx-InactivityTimer
・drx-RetransmissionTimer（ブロードキャストプロセスに対する下りリンクＨＡＲＱプロセスを除いて下りリンクＨＡＲＱプロセス毎に１つ）
・drx-ULRetransmissionTimer（上りリンクＨＡＲＱプロセス毎に１つ）
・longDRX-Cycle
・HARQ RTT（Round Trip Time）タイマー（下りリンクＨＡＲＱプロセス毎に１つ）
・UL HARQ RTT Timer（上りリンクＨＡＲＱプロセス毎に１つ）
・drxShortCycleTimer
・shortDRX-Cycle
基地局装置３は、onDurationTimer、drx-InactivityTimer、drx-RetransmissionTimer、drx-ULRetransmissionTimer、longDRX-Cycle、drxShortCycleTimer、shortDRX-Cycle、および、drxStartOffsetの値を示すパラメータ／情報を含むＲＲＣメッセージを端末装置１に送信してもよい。
【００９２】
端末装置１は、受信した該ＲＲＣメッセージに基づいて、onDurationTimer、drx-InactivityTimer、drx-RetransmissionTimer、drx-ULRetransmissionTimer、longDRX-Cycle、drxShortCycleTimer、shortDRX-Cycle、および、drxStartOffsetの値をセットしてもよい。
【００９３】
longDRX-CycleおよびshortDRX-Cycleを総称して、ＤＲＸサイクルとも称する。
【００９４】
onDurationTimerは、ＤＲＸサイクルの始めから連続するＰＤＣＣＨサブフレームの数を示す。
【００９５】
drx-InactivityTimerは、端末装置１に対する上りリンクデータまたは下りリンクデータの初期送信を指示するＰＤＣＣＨがマップされるサブフレームの後の連続するＰＤＣＣＨサブフレームの数を示す。
【００９６】
drx-RetransmissionTimerは、端末装置１によって期待される下りリンク再送信のための連続するＰＤＣＣＨサブフレームの最大の数を示す。全てのサービングセルに対して、drx-RetransmissionTimerの同じ値が適用される。
【００９７】
drx-ULRetransmissionTimerは、上りリンク再送信のための上りリンクグラント（上りリンクＨＡＲＱ再送信グラント）を受信するまでの連続するＰＤＣＣＨサブフレームの最大数を示す。上りリンクに対して非同期ＨＡＲＱが適用される全てのサービングセルに対して、drx-ULRetransmissionTimerの同じ値が適用される。
【００９８】
ＤＲＸサイクルは、オンデュレーション（On Duration）の繰り返し周期を示す。オンデュレーションの期間の後に、端末装置１のＣ−ＲＮＴＩおよびＳＰＳ  Ｃ−ＲＮＴＩに対する端末装置１のＰＤＣＣＨモニタリングの非活動（inactivity）が可能な期間が続く。
【００９９】
図６は、本実施形態におけるＤＲＸサイクルの一例を示す図である。図６において、横軸は時間軸である。図６において、オンデュレーションの期間Ｐ６００において、端末装置１はＰＤＣＣＨをモニタする。図６において、オンデュレーションの期間Ｐ６００の後の期間Ｐ６０２が、非活動が可能な期間である。つまり、図６において、端末装置１は、期間Ｐ６０２においてＰＤＣＣＨをモニタしなくてもよい。
【０１００】
drxShortCycleTimerは、端末装置１がショートＤＲＸサイクルに従う連続するサブフレームの数を示す。
【０１０１】
drxStartOffsetは、ＤＲＸサイクルがスタートするサブフレームを示す。
【０１０２】
下りリンクＨＡＲＱプロセスに対応するHARQ RTTタイマーは、drx-RetransmissionTimerのスタートに関連し、下りリンクＨＡＲＱプロセス毎に管理される。下りリンクＨＡＲＱプロセスに対応するHARQ RTTタイマーは、下りリンクデータの送信から該下りリンクデータの再送信までの最小のインターバルを示す。つまり、下りリンクＨＡＲＱプロセスに対応するHARQ RTTタイマーは、端末装置１によって下りリンクＨＡＲＱ再送信が期待される前のサブフレームの最小量を示す。
【０１０３】
尚、本実施形態では、１つの下りリンクＨＡＲＱプロセスは１つの下りリンクデータ（トランスポートブロック）のＨＡＲＱを制御する。尚、１つの下りリンクＨＡＲＱプロセスが２つの下りリンクデータを制御してもよい。
【０１０４】
上りリンクＨＡＲＱプロセスに対応するUL HARQ RTTタイマーは、drx-ULRetransmissionTimerのスタートに関連し、上りリンクＨＡＲＱプロセス毎に管理される。上りリンクＨＡＲＱプロセスに対応するUL HARQ RTTタイマーは、上りリンクデータの送信から該上りリンクデータの再送信のための上りリンクグラント（上りリンクＨＡＲＱ再送信グラント）の送信までの最小のインターバルを示す。つまり、上りリンクＨＡＲＱプロセスに対応するUL HARQ RTTタイマーは、端末装置１によって上りリンク再送信のための上りリンクグラント（上りリンクＨＡＲＱ再送信グラント）が期待される前のサブフレームの最小量（minimum amount）を示す。
【０１０５】
同じアクティブタイムが、全てのサービングセルに対して適用されてもよい。
【０１０６】
異なるアクティブタイムが、第１のセルグループに属するサービングセル、および、第２のセルグループに属するサービングセルのそれぞれに対して適用されてもよい。ここで、同じアクティブタイムが、第１のセルグループに属する全てのサービングセルに対して適用されてもよい。ここで、同じアクティブタイムが、第２のセルグループに属する全てのサービングセルに対して適用されてもよい。すなわち、第１のセルグループ、および、第２のセルグループのそれぞれにおいて、ＤＲＸが個別に制御されてもよい。すなわち、第１のセルグループ、および、第２のセルグループのそれぞれに対して、onDurationTimer、drx-InactivityTimer、drx-RetransmissionTimer、drx-ULRetransmissionTimer、longDRX-Cycle、drxShortCycleTimer、shortDRX-Cycle、および、drxStartOffsetの値が個別にセットされてもよい。
【０１０７】
例えば、ＤＲＸサイクルが設定された場合、アクティブタイム（Active Time）は下記の条件（ａ）から条件（ｅ）の少なくとも１つを満たす期間を含んでもよい。
・条件（ａ）：onDurationTimer、drx-InactivityTimer、drx-RetransmissionTimer、drx-ULRetransmissionTimer、または、 mac-ContentionResolutionTimerがランニングしている
・条件（ｂ）：スケジューリング要求がＰＵＣＣＨで送信され、そして、ペンディングされている
・条件（ｃ）：同期ＨＡＲＱに対して、ペンディングＨＡＲＱ再送信に対する上りリンクグラントが送信される可能性があり、そして、対応するＨＡＲＱバッファにデータがある
・条件（ｄ）：端末装置１によって選択されていないプリアンブルに対するランダムアクセスレスポンスの受信に成功した後に、端末装置１のＣ−ＲＮＴＩをともない、そして、初期送信を指示するＰＤＣＣＨをずっと受信していない。ここで、端末装置１によって選択されていないプリアンブルは、ハンドオーバコマンドに含まれる情報によって指示されたプリアンブルを含む。ここで、上記の条件における“初期送信を指示するＰＤＣＣＨ”は、“下りリンクまたは上りリンクの初期送信を指示するＰＤＣＣＨ”であってもよい。
・条件（ｅ）：ターゲットセルにおける送信タイミングに関する情報が設定されており、第２の設定された上りリンクグラントが設定されていない場合、端末装置１のＲＮＴＩをともない、そして、上りリンクの初期送信を指示する最初のＰＤＣＣＨをずっと受信していない。ここで、端末装置１のＲＮＴＩは、Ｃ−ＲＮＴＩであってもよい。ここで、端末装置１のＲＮＴＩは、Ｃ−ＲＮＴＩまたはＳＰＳ  Ｃ−ＲＮＴＩであってもよい。ここで、上記の条件における“初期送信を指示するＰＤＣＣＨ”は、“上りリンクの初期送信を指示するＰＤＣＣＨ”であってもよい。ここで、上記の条件における“初期送信を指示するＰＤＣＣＨ”は、“下りリンクまたは上りリンクの初期送信を指示するＰＤＣＣＨ”であってもよい。ここで、“ＰＤＣＣＨをずっと受信していない”ことは、ハンドオーバコマンドの受信に基づいてＭＡＣをリセットした後に、ターゲットセルにおいて一度もＰＤＣＣＨを受信していないことを意味してもよい。
【０１０８】
尚、ある期間がアクティブタイムに含まれるかどうかを判断するために用いられる条件は、条件（ａ）から条件（ｅ）に限られるものではなく、条件（ａ）から条件（ｅ）と別の条件を用いてもよいし、条件（ａ）から条件（ｅ）の一部を用いてもよい。
【０１０９】
タイマーは一度スタートすると、タイマーがストップされるまで、または、タイマーが満了するまでランニングしている。それ以外の場合は、タイマーはランニングしていない。タイマーがランニングしていないならば、タイマーはスタートされる可能性がある。タイマーがランニングしているならば、タイマーがリスタートされる可能性がある。タイマーは常に、該タイマーの初期値からスタート、または、リスタートされる。
【０１１０】
プリアンブルは、ランダムアクセスプロシージャのメッセージ１であり、ＰＲＡＣＨで送信される。端末装置１によって選択されていないプリアンブルは、コンテンションベースドランダムアクセスプロシージャに関連する。
【０１１１】
ランダムアクセスレスポンスは、ランダムアクセスプロシージャのメッセージ２であり、ＰＤＳＣＨで送信される。基地局装置３は、受信したプリアンブルに対して、ランダムアクセスレスポンスを送信する。
【０１１２】
コンテンションベースドランダムアクセスプロシージャを実行中の端末装置１は、ランダムアクセスレスポンスを受信した後にメッセージ３を送信する。端末装置１は、メッセージ３が送信された後にメッセージ４に関連するＰＤＣＣＨをモニタする。
【０１１３】
mac-ContentionResolutionTimerは、メッセージ３が送信された後に端末装置１がＰＤＣＣＨをモニタする連続するサブフレームの数を示す。
【０１１４】
図７および図８は、本実施形態におけるＤＲＸオペレーションの一例を示すフロー図である。ＤＲＸが設定された場合、端末装置１は、サブフレームのそれぞれに対して、図７および図８のフロー図に基づいてＤＲＸオペレーションを実行する。
【０１１５】
このサブフレームにおいて下りリンクのＨＡＲＱプロセスに対応するHARQ RTTタイマーが満了する、且つ、該HARQ RTTタイマーに対応するＨＡＲＱプロセスのデータが成功裏に復号されなかったならば（Ｓ７００：ＹＥＳ）、端末装置１は、該HARQ RTTタイマーに対応する下りリンクのＨＡＲＱプロセスに対するdrx-RetransmissionTimerをスタートし（Ｓ７０２）、そして、Ｓ７０３Ａに進む。それ以外の場合（Ｓ７００：ＮＯ）、端末装置１はＳ７０３Ａに進む。
【０１１６】
このサブフレームにおいて上りリンクのＨＡＲＱプロセスに対応するUL HARQ RTTタイマーが満了するならば（Ｓ７０３Ａ：ＹＥＳ）、端末装置１は、該UL HARQ RTTタイマーに対応する上りリンクのＨＡＲＱプロセスに対するdrx-ULRetransmissionTimerをスタートし（Ｓ７０３Ｂ）、そして、Ｓ７０４に進む。それ以外の場合（Ｓ７０３Ａ：ＮＯ）、端末装置１はＳ７０４に進む。
【０１１７】
ＤＲＸコマンドＭＡＣ  ＣＥが受信されるならば（Ｓ７０４：ＹＥＳ）、端末装置１はonDurationTimerおよびdrx-InactivityTimerをストップし（Ｓ７０６）、そして、Ｓ７０８に進む。それ以外の場合（Ｓ７０４：ＮＯ）、端末装置１はＳ７０８に進む。
【０１１８】
drx-InactivityTimerが満了する、または、このサブフレームにおいてＤＲＸコマンドＭＡＣ  ＣＥが受信されるならば（Ｓ７０８：ＹＥＳ）、端末装置１はＳ７１０に進む。それ以外の場合（Ｓ７０８：ＮＯ）、端末装置１はＳ７１６に進む。
【０１１９】
ショートＤＲＸサイクル（shortDRX-Cycle）が設定されていないならば（Ｓ７１０：ＮＯ）、端末装置１はロングＤＲＸサイクルを用いる（Ｓ７１２）、そして、Ｓ７１６に進む。ショートＤＲＸサイクル（shortDRX-Cycle）が設定されているならば（Ｓ７１０：ＹＥＳ）、端末装置１はdrxShortCycleTimerをスタートまたはリスタートし、ショートＤＲＸサイクルを用いる（Ｓ７１４）、そして、Ｓ７１６に進む。
【０１２０】
このサブフレームにおいてdrxShortCycleTimerが満了するならば（Ｓ７１６：ＹＥＳ）、端末装置１は、ロングＤＲＸサイクルを用いる（Ｓ７１８）、そして、図８のＳ８００に進む。それ以外の場合（Ｓ７１６：ＮＯ）、端末装置１は、図８のＳ８００に進む。
【０１２１】
（１）ショートＤＲＸサイクルが用いられる、且つ、[(SFN * 10) + subframe番号] modulo (shortDRX-Cycle) = (drxStartOffset) modulo (shortDRX-Cycle)ならば、または、（２）ロングDRXサイクルが用いられる、且つ、[(SFN * 10) + subframe番号] modulo (longDRX-Cycle) = drxStartOffsetならば（Ｓ８００：ＹＥＳ）、端末装置１はonDurationTimerをスタートし（Ｓ８０２）、そして、Ｓ８０４に進む。それ以外の場合（Ｓ８００：ＮＯ）、端末装置１はＳ８０４に進む。
【０１２２】
以下の条件（ｅ）から（ｉ）の全てを満たすならば（Ｓ８０４：ＹＥＳ）、端末装置１は、このサブフレームにおいてＰＤＣＣＨをモニタし（Ｓ８０６）、そして、Ｓ８０８に進む。
・条件（ｅ）：このサブフレームがアクティブタイムの期間に含まれる
・条件（ｆ）：このサブフレームがＰＤＣＣＨサブフレームである
・条件（ｇ）：このサブフレームが半二重ＦＤＤ動作の端末装置１に対する上りリンク送信に必要でない
・条件（ｈ）：サブフレームが半二重ガードサブフレームではない
・条件（ｉ）：このサブフレームが設定された測定ギャップ（measurement gap）の一部ではない
１つのＦＤＤサービングセルに対して、全てのサブフレームがＰＤＣＣＨサブフレームであってもよい。端末装置１および基地局装置３は、ＴＤＤサービングセルに対して、ＵＬ−ＤＬ設定に基づいてＰＤＣＣＨサブフレームを特定してもよい。１つのＴＤＤサービングセルを用いて基地局装置３と通信する端末装置１、および、該基地局装置３は、前記サービングセルに対応するＵＬ−ＤＬ設定によって、下りリンクサブフレーム、または、ＤｗＰＴＳを含むサブフレームとして指示されたサブフレームをＰＤＣＣＨサブフレームとして特定（選択、決定）してもよい。
【０１２３】
半二重ＦＤＤオペレーションは、タイプＡ半二重ＦＤＤオペレーション、および、タイプＢ半二重ＦＤＤオペレーションを含む。端末装置１は、ＦＤＤのバンドにおいてタイプＡ半二重ＦＤＤをサポートするかどうかを示す情報を、基地局装置３に送信してもよい。端末装置１は、ＦＤＤのバンドにおいてタイプＢ半二重ＦＤＤをサポートするかどうかを示す情報を、基地局装置３に送信してもよい。
【０１２４】
タイプＡ半二重ＦＤＤオペレーションに対して、端末装置１は、上りリンクの送信と下りリンクの受信を同時に行なうことはできない。
【０１２５】
タイプＢ半二重ＦＤＤオペレーションに対して、端末装置１が上りリンクの送信を行うサブフレームの直前のサブフレーム、および、移動局装置１が上りリンクの送信を行うサブフレームの直後のサブフレームのそれぞれが、半二重ガードサブフレームである。
【０１２６】
タイプＢ半二重ＦＤＤオペレーションに対して、端末装置１は上りリンクの送信と下りリンクの受信を同時に行なうことはできない。タイプＢ半二重ＦＤＤオペレーションに対して、端末装置１は上りリンクの送信を行うサブフレームの直前のサブフレームにおいて下りリンクの受信を行なうことはできない。タイプＢ半二重ＦＤＤオペレーションに対して、端末装置１は上りリンクの送信を行うサブフレームの直後のサブフレームにおいて下りリンクの受信を行なうことはできない。
【０１２７】
測定ギャップは、端末装置１が異なる周波数のセル、および／または、異なるＲＡＴ（Radio Access Technology）の測定を行なうための時間間隔である。基地局装置３は、測定ギャップの期間を示す情報を、端末装置１に送信する。端末装置１は、該情報に基づいて測定ギャップの期間を設定する。
【０１２８】
条件（ｅ）から条件（ｉ）の少なくとも１つを満たさないならば（Ｓ８０４：ＮＯ）、端末装置１は、このサブフレームに対するＤＲＸオペレーションを終了する。つまり、条件（ｅ）から条件（ｉ）の少なくとも１つを満たさないならば、端末装置１は、このサブフレームにおけるＰＤＣＣＨのモニタをしなくてもよい。
【０１２９】
尚、Ｓ８０４において用いられる条件は、条件（ｅ）から条件（ｉ）に限られるものではなく、Ｓ８０４において条件（ｅ）から条件（ｉ）と別の条件を用いてもよいし、条件（ｅ）から条件（ｉ）の一部を用いてもよい。
【０１３０】
ＰＤＣＣＨを介して受信した下りリンクアサインメントが下りリンク送信を指示するならば、または、このサブフレームに対して下りリンクアサインメントが設定されているならば（Ｓ８０８：ＹＥＳ）、端末装置１は、対応する下りリンクのＨＡＲＱプロセスに対するHARQRTTタイマーをスタートし、対応する下りリンクのＨＡＲＱプロセスに対するdrx-RetransmissionTimerをストップし（Ｓ８１０）、そして、ステップＳ８１１Ａに進む。それ以外の場合（Ｓ８０８：ＮＯ）、端末装置１はＳ８１１Ａに進む。ここで、HARQ RTTタイマーの長さは８であってもよい。
【０１３１】
下りリンクアサインメントが設定されている状態は、ＳＰＳ  Ｃ−ＲＮＴＩをともなう下りリンクアサインメントによってセミパーシステントスケジューリングがアクティベートされている状態を意味する。
【０１３２】
ＰＤＣＣＨを介して受信した上りリンクグラントが非同期ＨＡＲＱプロセスに対する上りリンク送信を指示するならば（Ｓ８１１Ａ：ＹＥＳ）、端末装置１は、（ｉ）該上りリンクグラントに対応するＰＵＳＣＨ送信を含むサブフレームにおいて該上りリンクグラントに対応する上りリンクのＨＡＲＱプロセスに対するUL HARQ RTTタイマーをスタートし、（ｉｉ）該上りリンクグラントに対応する上りリンクのＨＡＲＱプロセスに対するdrx-ULRetransmissionTimerをストップし（Ｓ８１１Ｂ）、そして、（ｉｉｉ）ステップＳ８１２に進む。それ以外の場合（Ｓ８１１Ａ：ＮＯ）、端末装置１はＳ８１２に進む。ここで、UL HARQ RTTタイマーの長さは４であってもよい。
【０１３３】
ＰＤＣＣＨを介して受信した下りリンクアサインメントまたは上りリンクグラントが、下りリンクまたは上りリンクの初期送信を指示するならば（Ｓ８１２：ＹＥＳ）、端末装置１は、drx-InactivityTimerをスタートまたはリスタートし（Ｓ８１４）、そして、このサブフレームに対するＤＲＸオペレーションを終了する。それ以外の場合は（Ｓ８１２：ＮＯ）、端末装置１は、このサブフレームに対するＤＲＸオペレーションを終了する。
【０１３４】
図９は、本実施形態におけるアクティブタイムの第１の例を示す図である。端末装置１は、ソースセルにおいて、ハンドオーバコマンド９００を受信する。ハンドオーバコマンド９００は、ターゲットセルにおける送信タイミングに関する情報を含まない、且つ、プリアンブルを示す情報を含む。端末装置１のＲＲＣは、送信するためのコンプリートメッセージ（RRCConnectionReconfigurationCompletemessage）をＭＡＣに提供する。ＭＡＣは、送信のためのデータ（コンプリートメッセージ）の発生に基づいて、ＢＳＲ（bufferstatus report）をトリガーする。ＭＡＣは、該ＢＳＲのトリガーに基づいてＳＲ（scheduling request）をトリガーする。ＳＲがトリガーされた場合、ＳＲがキャンセルされるまでペンディングされているとみなされる。
【０１３５】
少なくとも１つのＳＲがペンディングされており、このサブフレームにおける送信のために利用可能なＵＬ−ＳＣＨリソースがない、且つ、ＭＡＣエンティティが何れのサブフレームにもＳＲのための有効なＰＵＣＣＨリソースを持っていない場合、ＭＡＣエンティティはプライマリーセルにおいてランダムアクセスプロシージャを開始する。ここで、ＵＬ−ＳＣＨリソースは上りリンクグラントによって割り当てられるＰＵＳＣＨリソースを含んでもよい。図９において、ハンドオーバコマンド９００は、ＳＲのためのＰＵＣＣＨの設定を含んでもよいが、ＳＲのためのＰＵＣＣＨの設定はランダムアクセスプロシージャが完了した後に設定される。すなわち、図９において、ＭＡＣエンティティは、コンプリートメッセージが原因でトリガーされたＳＲがペンディングされており、ＭＡＣエンティティが何れのサブフレームにもＳＲのための有効なＰＵＣＣＨリソースを持っていないので、ターゲットププライマリーセルにおいてランダムアクセスプロシージャを開始する。
【０１３６】
端末装置１は、ターゲットセルにおいて、プリアンブルを含むＰＲＡＣＨを送信する。ここで、該プリアンブルは、ハンドオーバコマンドに含まれるプリアンブルを示す情報に基づいて選択される。すなわち、図９におけるランダムアクセスプロシージャは、非コンテンションベースランダムアクセスプロシージャである。端末装置１は、送信したプリアンブルに対応するランダムアクセスレスポンスを含むＰＤＳＣＨ９０２を受信する。端末装置１は、該ランダムアクセスレスポンスの受信に基づいて、ランダムアクセスプロシージャが成功裏に完了したとみなす。
【０１３７】
端末装置１は、ランダムアクセスレスポンスに含まれるＲＡＲグラントに対応するＰＵＳＣＨ９０３を用いてコンプリートメッセージを送信してもよい。また、アクティブタイム９０５は、ランダムアクセスレスポンス９０２の受信の成功の後のＣ−ＲＮＴＩに対応する初期送信（上りリンクまたは下りリンク）を指示するＰＤＣＣＨ９０４を受信していない期間９０８を含んでもよい。
【０１３８】
図１０は、本実施形態におけるアクティブタイムの第２の例を示す図である。端末装置１は、ソースセルにおいて、ハンドオーバコマンド１０００を受信する。ハンドオーバコマンド１０００は、ターゲットセルにおける送信タイミングに関する情報を含み、且つ、ＨＯＣグラントを含まない。端末装置１のＲＲＣは、ＭＡＣにコンプリートメッセージ（RRCConnectionReconfigurationCompletemessage）の送信を指示する。ＭＡＣは、送信できるデータ（コンプリートメッセージ）の発生に基づいて、ＢＳＲ（buffer status report）をトリガーする。ＭＡＣは、該ＢＳＲのトリガーに基づいてＳＲ（scheduling request）をトリガーする。ＳＲがトリガーされた場合、ＳＲがキャンセルされるまでペンディングされているとみなされる。
【０１３９】
ＵＬ−ＳＣＨリソースは上りリンクグラントによって割り当てられるＰＵＳＣＨリソースを含んでもよい。図１０において、ハンドオーバコマンド１０００は、ＳＲのためのＰＵＣＣＨの設定を含んでもよいが、ＳＲのためのＰＵＣＣＨの設定はランダムアクセスプロシージャが完了した後に設定される。すなわち、図１０において、ＭＡＣエンティティは、コンプリートメッセージが原因でトリガーされたＳＲがペンディングされており、ＭＡＣエンティティが何れのサブフレームにもＳＲのための有効なＰＵＣＣＨリソースを持っていない。
【０１４０】
ターゲットセルにおける送信タイミングに関する情報が設定されている場合、ターゲットセルにおいて最初のＰＵＳＣＨ１００２を送信するまで、ＭＡＣエンティティはプライマリーセルにおいてランダムアクセスプロシージャを開始しなくてもよい。例えば、少なくとも１つのＳＲがペンディングされており、このサブフレームにおける送信のために利用可能なＵＬ−ＳＣＨリソースがない、且つ、ＭＡＣエンティティが何れのサブフレームにもＳＲのための有効なＰＵＣＣＨリソースを持っていなかったとしても、ターゲットセルにおける送信タイミングに関する情報が設定されている場合は、最初のＰＵＳＣＨ１００２を送信するまで、ＭＡＣエンティティはプライマリーセルにおいてランダムアクセスプロシージャを開始しない。
【０１４１】
ターゲットセルにおける送信タイミングに関する情報が設定されている場合、ターゲットセルにおける最初のＰＵＳＣＨ１００２に対する応答を受信するまで、ＭＡＣエンティティはプライマリーセルにおいてランダムアクセスプロシージャを開始しなくてもよい。例えば、少なくとも１つのＳＲがペンディングされており、このサブフレームにおける送信のために利用可能なＵＬ−ＳＣＨリソースがない、且つ、ＭＡＣエンティティが何れのサブフレームにもＳＲのための有効なＰＵＣＣＨリソースを持っていなかったとしても、ターゲットセルにおける送信タイミングに関する情報が設定されている場合は、最初のＰＵＳＣＨ送信１００２に対する応答を受信するまで、ＭＡＣエンティティはプライマリーセルにおいてランダムアクセスプロシージャを開始しない。
【０１４２】
ターゲットセルにおける送信タイミングに関する情報が設定されている場合は、最初のＰＵＳＣＨ１００２を送信するまで、ＭＡＣエンティティはＳＲをトリガーしなくてもよい。または、ターゲットセルにおける送信タイミングに関する情報が設定されている場合は、最初のＰＵＳＣＨ送信１００２に対する応答を受信するまで、ＭＡＣエンティティはＳＲをトリガーしなくてもよい。
【０１４３】
端末装置１は、ターゲットセルにおいてアクティブタイム１００５の間にＰＤＣＣＨをモニタする。ここで、該ＰＤＣＣＨは、Ｃ−ＲＮＴＩに対するＰＤＣＣＨ、および、ＳＰＳ  Ｃ−ＲＮＴＩに対するＰＤＣＣＨを含む。ここで、アクティブタイム１００５は、初期送信を指示するＰＤＣＣＨ１００１をターゲットセルにおいて一度も受信していない期間１００９を含んでもよい。ここで、“初期送信を指示するＰＤＣＣＨ”は、“上りリンクの初期送信を指示するＰＤＣＣＨ”であってもよい。ここで、“初期送信を指示するＰＤＣＣＨ”は、“下りリンクまたは上りリンクの初期送信を指示するＰＤＣＣＨ”であってもよい。期間１００９は、ハンドオーバコマンドを受信した時にスタートしてもよい。期間１００９は、ハンドオーバコマンドに基づく設定が行われた時にスタートしてもよい。期間１００９は、ターゲットセルの下りリンク同期を取得した時にスタートしてもよい。期間１００９は、ターゲットセルにおけるＰＤＣＣＨモニタリングの準備が完了した時にスタートしてもよい。
【０１４４】
端末装置１は、ＰＤＣＣＨ１００１に対応するＰＵＳＣＨ１００２を用いてコンプリートメッセージを送信してもよい。ここで、該ＰＵＳＣＨ送信１００２の送信タイミングは、“ターゲットセルにおける送信タイミングに関する情報”に基づいて設定される。
【０１４５】
ターゲットセルにおける送信タイミングに関する情報が設定されていたとしても、ターゲットセルにおいて最初のＰＵＳＣＨを既に送信している場合、ＭＡＣエンティティはプライマリーセルにおいてランダムアクセスプロシージャを開始してもよい。
【０１４６】
ターゲットセルにおける送信タイミングに関する情報が設定されていたとしても、ターゲットセルにおける最初のＰＵＳＣＨに対する応答を既に受信している場合、ＭＡＣエンティティはプライマリーセルにおいてランダムアクセスプロシージャを開始してもよい。
【０１４７】
基地局装置３は、ソースセルにハンドオーバコマンドを転送してから所定の時間後に、ターゲットセルにおいて初期送信を指示するＰＤＣＣＨを送信してもよい。
【０１４８】
ハンドオーバコマンドに上りリンクグラントが含まれる場合、アクティブタイム１００５は、初期送信を指示するＰＤＣＣＨ１００１をターゲットセルにおいて一度も受信していない期間１００９を含まなくてもよい。
【０１４９】
ハンドオーバコマンドに上りリンクグラントが含まれていなかったとしても、アクティブタイム１００５は、初期送信を指示するＰＤＣＣＨ１００１をターゲットセルにおいて一度も受信していない期間１００９を含まなくてもよい。ここで、端末装置１がアクティブタイムでなかったとしても、端末装置１は期間１００９においてＰＤＣＣＨ１００１をモニタしてもよい。
【０１５０】
また、ハンドオーバコマンドに上りリンクグラントが含まれる場合、アクティブタイム１００５は、所定のタイマーがランニングしている期間を含んでもよい。該所定のタイマーは、ハンドオーバコマンドの受信に基づいてスタートしてもよい。該所定のタイマーは、ハンドオーバコマンドに基づく設定が行われたことに基づいてスタートしてもよい。該所定のタイマーは、ターゲットセルの下りリンク同期の取得に基づいてスタートしてもよい。該所定のタイマーは、ターゲットセルにおけるＰＤＣＣＨモニタリングの準備が完了したことに基づいてスタートしてもよい。該所定のタイマーは、初期送信を指示するＰＤＣＣＨ１００１の受信に基づいてストップしてもよい。ハンドオーバコマンドは、該タイマーの長さを示す情報を含んでもよい。
【０１５１】
基地局装置３は、ＰＵＳＣＨのスケジューリングを実行する際に、上記の端末装置の動作を想定してもよい。例えば、基地局装置３は、上記の端末装置の動作を想定することによって、ＰＤＣＣＨ１００１を送信するタイミングを決定してもよい。
【０１５２】
これにより、端末装置１は上りリンクの送信を効率的に行うことができる。
【０１５３】
以下、本実施形態における装置の構成について説明する。
【０１５４】
図１１は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１５５】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５６】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１５７】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１５８】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１５９】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１６０】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１６１】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１６２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１６３】
図１２は、本実施形態のターゲット基地局装置３Ｂの構成を示す概略ブロック図である。図示するように、ターゲット基地局装置３Ｂは、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。ソース基地局装置３Ａの構成は、ターゲット基地局装置３Ｂの構成と同じでもよい。
【０１６４】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１６５】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。上位層処理部３４は他の基地局装置、および、ＭＭＥ／ＧＷ３Ｃに情報を送信してもよい。上位層処理部３４は他の基地局装置、および、ＭＭＥ／ＧＷ３Ｃから情報を受信してもよい。
【０１６６】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１６７】
無線送受信部３０の機能は、無線送受信部１０と同様であるため説明を省略する。
【０１６８】
端末装置１が備える符号１０から符号１６が付された部のそれぞれは、回路として構成されてもよい。基地局装置３が備える符号３０から符号３６が付された部のそれぞれは、回路として構成されてもよい。
【０１６９】
以下、本実施形態における、端末装置１の種々の態様について説明する。
【０１７０】
（Ａ１）本実施形態の第１の態様は、端末装置であって、上りリンクグラントを受信する受信部と、ＨＡＲＱエンティティの処理を実行する媒体アクセス制御層処理部と、を備え、前記媒体アクセス層処理部は、ＨＡＲＱプロセスに対して第１の上りリンクグラントが指示され、且つ、前記第１の上りリンクグラントがＣ−ＲＮＴＩに対応し、且つ、前記ＨＡＲＱプロセスのために前記ＨＡＲＱエンティティが渡した前の第２の上りリンクグラントがＭＡＣによって設定された上りリンクグラントである場合、第１の上りリンクグラントに含まれるＮＤＩの値に関係なく前記ＨＡＲＱプロセスに対してＮＤＩがトグルされているとみなし、前記媒体アクセス層処理部は、前記ＨＡＲＱプロセスに対して前記第１の上りリンクグラントが指示され、且つ、前記第１の上りリンクグラントがＣ−ＲＮＴＩに対応し、且つ、前記ＨＡＲＱプロセスのために前記ＨＡＲＱエンティティが渡した前の第２の上りリンクグラントがＲＲＣによって設定された上りリンクグラントである場合、前記第１の上りリンクグラントに含まれるＮＤＩの値に基づいて、前記ＨＡＲＱプロセスに対してＮＤＩがトグルされているかどうかを判定する。
【０１７１】
（Ａ２）本実施形態の第２の態様は、基地局装置であって、端末装置に上りリンクグラントを送信する送信部と、
前記端末装置からＰＵＳＣＨを受信する受信部と、ＰＵＳＣＨのスケジューリングを行う媒体アクセス制御層処理部と、を備え、前記媒体アクセス層処理部は、前記ＰＵＳＣＨのスケジューリングを行う際に、以下の（１）と（２）を想定する。
【０１７２】
（１）前記端末装置が、ＨＡＲＱプロセスに対して第１の上りリンクグラントが指示され、且つ、前記第１の上りリンクグラントがＣ−ＲＮＴＩに対応し、且つ、前記ＨＡＲＱプロセスのために前記ＨＡＲＱエンティティが渡した前の第２の上りリンクグラントがＭＡＣによって設定された上りリンクグラントである場合、第１の上りリンクグラントに含まれるＮＤＩの値に関係なく前記ＨＡＲＱプロセスに対してＮＤＩがトグルされているとみなす。
【０１７３】
（２）前記端末装置が、前記ＨＡＲＱプロセスに対して前記第１の上りリンクグラントが指示され、且つ、前記第１の上りリンクグラントがＣ−ＲＮＴＩに対応し、且つ、前記ＨＡＲＱプロセスのために前記ＨＡＲＱエンティティが渡した前の第２の上りリンクグラントがＲＲＣによって設定された上りリンクグラントである場合、前記第１の上りリンクグラントに含まれるＮＤＩの値に基づいて、前記ＨＡＲＱプロセスに対してＮＤＩがトグルされているかどうかを判定する。
【０１７４】
（Ａ３）本実施形態の第３の態様は、端末装置であって、ＰＤＣＣＨモニタリング活動（activity）を制御するＤＲＸを実行する媒体アクセス制御層処理部と、ソースセルにおいてハンドオーバコマンドを受信する受信部と、を備え、ハンドオーバコマンドが、（ｉ）ターゲットセルにおける送信タイミングに関する情報を含み、且つ、（ｉｉ）上りリンクグラントを含まない場合、前記ターゲットセルにおける前記ＤＲＸのためのアクティブタイムは、前記ターゲットセルにおいて初期送信を指示する第１のＰＤＣＣＨを受信していない第１の期間を少なくとも含む。
【０１７５】
（Ａ４）本実施形態の第４の態様は、基地局装置であって、端末装置に上りリンクグラントを送信する送信部と、前記端末装置からＰＵＳＣＨを受信する受信部と、ＰＵＳＣＨのスケジューリングを行う媒体アクセス制御層処理部と、を備え、前記媒体アクセス層処理部は、前記ＰＵＳＣＨのスケジューリングを行う際に、以下の（１）を想定する。
【０１７６】
（１）ハンドオーバコマンドが、（ｉ）ターゲットセルにおける送信タイミングに関する情報を含み、且つ、（ｉｉ）上りリンクグラントを含まない場合、前記ターゲットセルにおける前記ＤＲＸのためのアクティブタイムは、前記ターゲットセルにおいて初期送信を指示する第１のＰＤＣＣＨを受信していない第１の期間を少なくとも含む。
【０１７７】
（５）本実施形態の第３または第４の態様において、前記媒体アクセス制御層処理部は、前記第１の期間にランダムアクセスプロシージャを開始しない。
【０１７８】
（６）本実施形態の第３または第４の態様において、前記初期送信は、上りリンクの初期送信である。
【０１７９】
（７）本実施形態の第３または第４の態様において、前記初期送信は、上りリンクの初期送信、および、下りリンクの初期送信を含む。
【０１８０】
（８）本実施形態の第３または第４の態様において、前記ＰＤＣＣＨは、Ｃ−ＲＮＴＩに対応するＰＤＣＣＨである。
【０１８１】
（９）本実施形態の第３または第４の態様において、前記ＰＤＣＣＨは、Ｃ−ＲＮＴＩに対応するＰＤＣＣＨ、および、ＳＰＳ  Ｃ−ＲＮＴＩに対応するＰＤＣＣＨを含む。
【０１８２】
これにより、端末装置および基地局装置が互いに、効率的に通信をすることができる。
【０１８３】
本発明の一態様に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１８４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１８５】
本発明の一態様に関わる装置で動作するプログラムは、本発明の一態様に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１８６】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１８７】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１８８】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１８９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１９０】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１９１】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０１９２】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
0006793749.tif 000002
【図２】
0006793749.tif 000003
【図３】
0006793749.tif 000004
【図４】
0006793749.tif 000005
【図５】
0006793749.tif 000006
【図６】
0006793749.tif 000007
【図７】
0006793749.tif 000008
【図８】
0006793749.tif 000009
【図９】
0006793749.tif 000010
【図１０】
0006793749.tif 000011
【図１１】
0006793749.tif 000012
【図１２】
0006793749.tif 000013